(57)【要約】 【課題】  ブラケットを削減したとしてもディスク搬送の安定性を確保して、部品点数の削減及び薄型化を図る。【解決手段】  光ディスク装置は、光ディスクを回転駆動し、前記光ディスクのデータを読み取る機構を持つ本体部と、本体部の光ディスクの挿入口上部に配置され、光ディスクを案内するディスクガイドと、ディスクガイドの下方に配置され、ディスクガイドとともに光ディスクを挟持して、ディスクガイドに対して光ディスクを押しつけて搬送する搬送ローラと、挿入口を遮る方向に延在する支持軸及びディスクガイドよりも上方に位置するように支持軸に設けられたディスクガイド押さえを有し、光ディスクの挿入または排出に伴い支持軸が移動するアーム部とを備えている。ディスクガイドは、アーム部を案内するため、アーム部の移動方向に沿って延在するアームガイド部を備えている。【選択図】        図７
2011113574.tif 000002
【特許請求の範囲】
【請求項１】
光ディスクを回転駆動し、前記光ディスクのデータを読み取る機構を持つ本体部と、
前記本体部の前記光ディスクの挿入口上部に配置され、前記光ディスクを案内するディスクガイドと、
前記ディスクガイドの下方に配置され、前記ディスクガイドとともに前記光ディスクを挟持して、前記ディスクガイドに対して前記光ディスクを押しつけて搬送する搬送ローラと、
前記挿入口を遮る方向に延在する支持軸及び前記ディスクガイドよりも上方に位置するように前記支持軸に設けられたディスクガイド押さえを有し、前記光ディスクの挿入または排出に伴い前記支持軸が移動するアーム部と、を備え
前記ディスクガイドは、前記アーム部を案内するため、前記アーム部の移動方向に沿って延在するアームガイド部を備えることを特徴とする光ディスク装置。
【請求項２】
請求項１に記載の光ディスク装置において、
前記アームガイド部は、前記移動方向に沿った長孔であり、
前記支持軸は前記長孔内に挿通されていることを特徴とする光ディスク装置。
【請求項３】
請求項１又は２記載の光ディスク装置において、
前記アームガイド部は前記挿入口の中心部分の高さが前記挿入口外側部分よりも高く形成されていることを特徴とする光ディスク再生装置。
【発明の詳細な説明】
【技術分野】
【０００１】
本発明は、光ディスク装置に関する。
【背景技術】
【０００２】
従来、光ディスク装置は映像信号及び音響信号の記録・再生に広く利用されている（例えば特許文献１参照）。図１４，１５は従来の光ディスク装置の概略構成を示す説明図であり、図１４は光ディスク装置の上面図（部分）、図１５は光ディスク装置の正面図である。これら図１４，１５に示すように光ディスク装置１００は、光ディスクの回転駆動部や光ピックアップ装置等が搭載された本体部１０１と、本体部１０１の上部を覆うブラケット１０２とを備えている。
【０００３】
図１６は光ディスク装置１００におけるブラケット１０２を省略し本体部１０１を示す上面図（部分）である。本体部１０１の上部には、光ディスクＤ（図１８参照）を案内するディスクガイド１０３が設けられている。
【０００４】
図１７は本体部１０１におけるディスクガイド１０３を省略した状態を示す上面図（部分）である。本体部１０１には、光ディスクＤを搬送する搬送ローラ１０４と、光ディスクＤの挿入／排出にあわせて左右方向に開閉し、図示しない検出スイッチを押す一対の検出アーム１０６と、検出アーム１０６に対して内側に向かう力を付勢するアーム用バネ１０７とが設けられている。
【０００５】
図１８はディスクガイド１０３、搬送ローラ１０４及び光ディスクＤの関係を示す正面図であり、図１９はこれらの関係を模式的に示す模式図である。図１８，１９に示すように、ディスクガイド１０３の下面１０３ａの両側部には、下方に向けて傾斜する傾斜部１０３ｃが形成されている。この傾斜部１０３ｃの稜線１０３ｂは本体部１０１の奥に向かって狭まるように形成されている（図１６の点線参照）。また、図１８，１９に示すように、搬送ローラ１０４は、外側に向かって外径が大きくなるテーパ状に形成されている。また、搬送ローラ１０４は、光ディスクＤに当接するため、図示しない圧着バネによって、上方に向かう付勢力が付与されている（図１８の矢印Ｐ０参照）。この圧着バネの付勢力により、搬送ローラ１０４がディスクガイド１０３に光ディスクＤを押し当て、搬送ローラ１０４の摩擦力により光ディスクＤを搬送している。ここで、実用上、埃や塵などの粉塵が搬送ローラ１０４に付着していると、摩擦力が低下してしまうので、この低下分を考慮して圧着バネの付勢力は高く設定されている。
【０００６】
図２０はディスクガイド１０３の外側で光ディスクＤが接触している状態を示す正面図（一部）であり、図２１はディスクガイド１０３の中央部分で光ディスクＤが接触している状態を示す正面図である。なお、図２１では、光ディスクＤを挿入した直後あるいは排出完了直前の状態を点線で示している。
図２０に示すように検出アーム１０６が最も開いて、図における左右方向の外側でディスクガイド１０３の光ディスクＤが接触していると、圧着バネによる付勢力はその接触部分Ｐ１に作用する。図２１に示すように検出アーム１０６が僅かに開いて、ディスクガイド１０３の中央部分で光ディスクＤが接触していると圧着バネによる付勢力はその接触部分Ｐ２に作用する。いずれにしろ、上方に向かう付勢力は光ディスクＤを介してディスクガイド１０３に加わるので、ディスクガイド１０３が上方に向けて凸となるように撓むことになる。特に、ディスクガイド１０３の中央部分で光ディスクＤが接触している場合にはモーメントも大きくなるため変形量も大きくなる。
【０００７】
ディスクガイド１０３に撓みが生じてしまうと、ディスクガイド１０３の高さが変わってしまうために、他部品と光ディスクＤとの干渉や、圧着バネの付勢力のロス等を誘発してしまい、結果的に搬送不良が発生するおそれがある。
このようなディスクガイド１０３の変形を防止するために、従来においてはディスクガイド１０３の上部にブラケット１０２が重ねられている。
【先行技術文献】
【特許文献】
【０００８】
【特許文献１】特開２００４−２２０４０号公報
【発明の概要】
【発明が解決しようとする課題】
【０００９】
ところで、他の電子機器と同様に光ディスク装置においても部品点数の削減や薄型化が望まれている。
このため、本発明の課題は、ブラケットを削減したとしてもディスク搬送の安定性を確保して、部品点数の削減及び薄型化を図ることである。
【課題を解決するための手段】
【００１０】
以上の課題を解決するため、請求項１に記載の発明に係る光ディスク装置は、
光ディスクを回転駆動し、前記光ディスクのデータを読み取る機構を持つ本体部と、
前記本体部の前記光ディスクの挿入口上部に配置され、前記光ディスクを案内するディスクガイドと、
前記ディスクガイドの下方に配置され、前記ディスクガイドとともに前記光ディスクを挟持して、前記ディスクガイドに対して前記光ディスクを押しつけて搬送する搬送ローラと、
前記挿入口を遮る方向に延在する支持軸及び前記ディスクガイドよりも上方に位置するように前記支持軸に設けられたディスクガイド押さえを有し、前記光ディスクの挿入または排出に伴い前記支持軸が移動するアーム部と、を備え
前記ディスクガイドは、前記アーム部を案内するため、前記アーム部の移動方向に沿って延在するアームガイド部を備えることを特徴としている。
【００１１】
請求項２記載の発明は、請求項１に記載の光ディスク装置において、
前記アームガイド部は、前記移動方向に沿った長孔であり、
前記支持軸は前記長孔内に挿通されていることを特徴としている。
【００１２】
請求項３記載の発明は、請求項１又は２記載の光ディスク装置において、
前記アームガイド部は前記挿入口の中心部分の高さが前記挿入口外側部分よりも高く形成されていることを特徴としている。
【発明の効果】
【００１３】
本発明によれば、ブラケットを削減したとしてもディスク搬送の安定性を確保して、部品点数の削減及び薄型化を図ることができる。
【図面の簡単な説明】
【００１４】
【図１】本実施形態の光ディスク装置の概略構成を示す上面図（部分）である。
【図２】図１の光ディスク装置の概略構成を示す正面図である。
【図３】図１の光ディスク装置の概略構成を示す下面図（部分）である。
【図４】図１の光ディスク装置に備わるディスクガイドと搬送ローラとの関係を模式的に示す正面図である。
【図５】図４のディスクガイドと搬送ローラと光ディスクとの関係を模式的に示す側面図である。
【図６】図５のディスクガイドと搬送ローラとが光ディスクを搬送している状態を模式的に示す側面図である。
【図７】図１の光ディスク装置に備わる一対のアーム部の概略構成を示す正面図である。
【図８】図１の光ディスク装置に備わるディスクガイドの中央部分で光ディスクが接触している状態での光ディスク装置の一部を示す正面図である。
【図９】図１の光ディスク装置に備わるディスクガイドの外側で光ディスクが接触している状態での光ディスク装置の一部を示す正面図である。
【図１０】図７のアーム部の第一の変形例を示す斜視図である。
【図１１】図７のアーム部の第二の変形例を示す斜視図である。
【図１２】図１のディスクガイドに備わるアームガイド部の変形例を示す斜視図である。
【図１３】図１のディスクガイドの変形例を示す正面図である。
【図１４】従来の光ディスク装置の概略構成を示す上面図（部分）である。
【図１５】図１４の光ディスク装置の概略構成を示す正面図である。
【図１６】図１４の光ディスク装置からブラケットを省略し、本体部の概略構成を示す上面図（部分）である。
【図１７】図１６の本体部からディスクガイドを省略した状態を示す上面図（部分）である。
【図１８】図１４の光ディスク装置に備わるディスクガイド、搬送ローラ及び光ディスクの関係を示す正面図である。
【図１９】図１８の関係を模式的に示す模式図である。
【図２０】図１４の光ディスク装置におけるディスクガイドの外側で光ディスクが接触している状態を示す正面図（一部）である。
【図２１】図１４の光ディスク装置におけるディスクガイドの中央部分で光ディスクが接触している状態を示す正面図である。
【発明を実施するための形態】
【００１５】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１６】
図１〜３は本実施形態の光ディスク装置の概略構成を示す説明図である。これら図１〜３に示すように光ディスク装置１は、光ディスクＤ１（図６参照）を回転駆動する回転駆動部（ターンテーブル）や、光ディスクＤ１のデータを読み取るための光ピックアップ装置等が設置された本体部２を備えている。
【００１７】
本体部２における光ディスクＤ１の挿入口２１の近傍には、光ディスクＤ１を案内するディスクガイド３と、当該ディスクガイド３とともに光ディスクＤ１を挟持して、ディスクガイド３に対して光ディスクＤ１を押しつけて搬送する搬送ローラ４とが設けられている。
【００１８】
図４はディスクガイド３と搬送ローラ４との関係を模式的に示す正面図であり、図５はディスクガイド３と搬送ローラ４と光ディスクＤ１との関係を模式的に示す、図４を側面から見た側面図である。
図１、図４及び図５に示すように、ディスクガイド３の下面３１の両側部には、下方に向けて傾斜する傾斜部３４が形成されている。この傾斜部３４の稜線３２は、本体部２の奥に向かって狭まるように挿入口２１内面に向かって形成されている。また、ディスクガイド３の挿入口２１には、左右方向に沿って延在する一対の長孔３３が形成されている。
【００１９】
搬送ローラ４は、図示しない駆動モータ及び当該モータに接続されたギアからの動力が軸に伝わり回転駆動されるようになっている。搬送ローラ４は、左右方向に延在していて、ディスクガイド３の下方に配置されている。搬送ローラ４は、軸と外側に向かって外径が大きくなるテーパ部と、両端部とで形成されている。このテーパ部４１は、光ディスクＤ１に接触するため、その表面がゴム等の弾性体により被覆されている。また、搬送ローラ４の両端部は、圧着バネ５を介して本体部２に支持されている。圧着バネ５は、搬送ローラ４がディスクガイド３を押圧するように、搬送ローラ４に付勢力（図５中、矢印Ｙ）を付与している。そして、図６に示すように、光ディスクＤ１を搬送する際においても、圧着バネ５の付勢力によって搬送ローラ４が光ディスクＤ１をディスクガイド３に押しつけることになる。
【００２０】
そして、光ディスクＤ１が挿入口２１に挿入された直後であると、光ディスクＤ１は図４に示すように搬送ローラ４及びディスクガイド３の中央部付近で挟持されることになる（図４の点線Ｄ１参照）。その後、搬送が進むにつれて挟持位置Ｂ１は徐々に外側に移動することになる。つまり、圧着バネ５の付勢力がディスクガイド３に作用する挟持位置Ｂ１は、挿入直後では中央部分であり、搬送が進むにつれて外側に移動することになる。
【００２１】
また、図１〜３に示すように、本体部２における挿入口２１の近傍には、光ディスクＤ１の挿入又は排出に伴い左右方向に移動する一対のアーム部６が設けられている。
【００２２】
図７は、一対のアーム部６の概略構成を示す正面図である。図７に示すように、アーム部６は、板状部６１と、上下方向に延在し、下端部で板状部６１を支持する支持軸６２とを備えている。一対のアーム部６は、図示しないアーム用バネによってそれぞれ内側に向かう付勢力が付与されている。
【００２３】
板状部６１は左右方向に延在した略板状の部材であり、その外端部の上部に支持軸６２が取り付けられている。支持軸６２は、挿入口２１を遮る方向に延在しており、その上端部がスライド自在となるように長孔３３内に挿通されている。また、支持軸６２の一部は、ディスクガイド３の直下部分は光ディスクＤ１の外周面に当接する。これにより、光ディスクＤ１が挿入されて当該光ディスクＤ１の外周面により支持軸６２が押されると、支持軸６２が長孔３３に沿ってスライドすることになる。つまり、長孔３３が、アーム部６を案内するため、当該アーム部６の開閉方向（左右方向）に沿って延在するアームガイド部である。
そして、支持軸６２の上端部には、長孔３３の幅よりも大きな外径を有する円板状のディスクガイド押さえ６２１が形成されている。これにより、ディスクガイド押さえ６２１は、支持軸６２の軸方向に対して直交する方向に沿って側方に向かって延出し、ディスクガイド３の上面に対向しているので、ディスクガイド３の浮きを防止する。
【００２４】
また、図３に示すように、本体部２には、駆動モータを駆動するためのスイッチ７が、一方のアーム部６の開閉軌道上に設置されている。一方のアーム部６が所定長さだけスライドすると、このスイッチ７が押されて、駆動ローラを駆動するようになっている。
【００２５】
次に、本実施形態の作用について説明する。
まず、ユーザによって光ディスクＤ１が本体部２の挿入口２１に挿入されると、その挿入動作によって一対のアーム部６が光ディスクＤ１によって外側へ押されスライドする。一対のアーム部６が所定長さ移動してスイッチ７を押下すると、駆動モータが駆動して搬送ローラ４が回転駆動する。この回転駆動にともなって、光ディスクＤ１は搬送ローラ４とディスクガイド３とによって挟持されながら本体部２の奥に向かって搬送される。ここで「本体部２の奥」とは、挿入口２１から見て本体部２の回転駆動部が配置された側である。搬送の際、搬送ローラ４には圧着バネ５よる付勢力が付与されているので、搬送ローラ４が光ディスクＤ１をディスクガイド３に押しつけながら搬送している。
【００２６】
図８はディスクガイド３の中央部分で光ディスクＤ１が接触している状態での光ディスク装置１の一部を示す正面図であり、図９はディスクガイド３の外側で光ディスクＤ１が接触している状態での光ディスク装置１の一部を示す正面図である。
図８に示すようにディスクガイド３の中央部分で光ディスクＤ１が接触していると圧着バネ５による付勢力はその接触部分Ｐ３に作用する。このため、ディスクガイド３には、上方に向けて凸に撓ませるモーメントが作用するが、その変形はディスクガイド押さえ６２１により規制される。
一方、図９に示すようにディスクガイド３の外側で光ディスクＤ１が接触していると、圧着バネ５による付勢力はその接触部分Ｐ４に作用する。この場合、中央部分で光ディスクＤ１が接触している場合と比べると小さいもののディスクガイド３を上方に向けて凸に撓ませるモーメントは作用する。この場合においてディスクガイド３の変形はディスクガイド押さえ６２１により規制される。これらのことにより、ディスクガイド３の変形が抑制される。
【００２７】
以上のように、本実施形態の光ディスク装置１によれば、ディスクガイド押さえ６２１は、ディスクガイド３よりも上方に存在し、かつ当該ディスクガイド３の上面に対向するように配置されているので、ディスクガイド３が上方に向けて凸となる変形をディスクガイド押さえ６２１によって規制することができる。このように、ディスクガイド３の変形が抑えられれば、ディスクガイド３の高さが変わることに起因する他部品と光ディスクＤ１との干渉や、圧着バネ５の付勢力のロス等を防止することができ、光ディスクＤ１の搬送を安定化することができる。
このように、本実施形態の光ディスク装置１であると、従来必要であったブラケットを削減したとしてもディスク搬送の安定性を確保して、部品点数の削減及び薄型化を図ることが可能となる。
【００２８】
また、ディスクガイド押さえ６２１は、長孔３３に対してスライド自在に係合しているために、圧着バネ５による付勢力の作用点の移動に追従させることもでき、ディスクガイド３の変形を効果的に規制することができる。
【００２９】
そして、アーム部を案内するアームガイド部が長孔３３であり、その長孔３３に対してアーム部６の支持軸６２が挿通されているので、支持軸６２がアームガイド部から離脱してしまうことを防止できる。
【００３０】
なお、本発明は上記実施形態に限らず適宜変更可能である。以下の説明において上記実施形態と同一部分においては同一符号を付してその説明を省略する。
【００３１】
例えば、本実施形態では、ディスクガイド押さえ６２１が円板状である場合を例示して説明したが、ディスクガイド３の浮きを防止できる形状であれば、如何なる形状でもよい。例えば、図１０に示すアーム部６Ａの通り、ディスクガイド３の上面に対向するように支持軸６２ａから一側方にのみ延出したディスクガイド押さえ６２１ａや、図１１に示すアーム部６Ｂの通り、ディスクガイド３の上面に対向するように支持軸６２ｂを中心にして直線状に二側方に延出したディスクガイド押さえ６２１ｂなどが挙げられる。
【００３２】
また、本実施形態では、アームガイド部が長孔３３である場合を例示して説明したが、アームガイド部はアーム部６を案内するため、当該アーム部６の移動方向に沿って延在する形状であれば如何なる形状でもよい。例えば、図１１に示すディスクガイド３Ａのように、その挿入口２１側の端部３５ａを移動方向に沿って延在させることで、当該端部３５ａをアームガイド部として用いることも可能である。この場合、長孔３３を有するディスクガイド３よりも、ディスクガイド３を成型する金型等を簡素化することができる。
【００３３】
また、図１２に示すディスクガイド３Ｃのように、一対のアーム部６におけるディスクガイド押さえ６２１が当接する部分に対して、外側から内側に向かって徐々に高くなるテーパ面３８ｃを形成することも好ましい。これによりディスクガイド３Ｃのアームガイド部は挿入口２１の中心部分の高さが挿入口２１外側部分よりも高く形成される。上述した通り、搬送ローラ４の両端部は、圧着バネ５を介して本体部２に支持されているため、ディスクガイド３Ｃの外側で光ディスクＤ１が接触している場合（図９参照）においては、ディスクガイド３Ｃに作用するモーメントは小さくなる。したがって、ディスクガイド３Ｃの変形を抑える力も小さくてよい。一方、ディスクガイド３Ｃの中央部分で光ディスクＤ１が接触している場合（図８参照）では、ディスクガイド３Ｃに作用するモーメントは大きいために、ディスクガイド３Ｃの変形を抑える力を大きくすることが望まれる。すなわち、図１２に示すディスクガイド３Ｃのように、一対のアーム部６におけるディスクガイド押さえ６２１が当接する部分にテーパ面３８ｃが形成されていると、一対のアーム部６が中央部分にある場合にはディスクガイド押さえ６２１がテーパ面３８ｃの高い部分を押下することになり、ディスクガイド３Ｃの中央部を下方に向けて撓ませることになる。この変形によって圧着バネ５による付勢力を高めることができ、搬送の安定性をより高めることが可能となる。なお、ディスクガイド３Ｃの中央部を下方に向けて撓ませた場合、稜線３２の角度が寝てしまうことになるが、この状態であると光ディスクＤ１はディスクガイド３Ｃの外側には接触していないために搬送上問題とならない。
【００３４】
また、アーム部６がディスクガイド３の変形にともなって浮いてしまうと、ディスクガイド３に対する規制が弱まってしまうおそれがある。このため、アーム部６に対して移動方向のスライドを阻害しない範囲で、アーム部６の本体部２からの浮きを規制する規制機構を設けることが好ましい。
【符号の説明】
【００３５】
１      光ディスク装置
２      本体部
３      ディスクガイド
４      搬送ローラ
５      圧着バネ
６      アーム部
７      スイッチ
２１      挿入口
３１      凹部
３２      稜線
３３      長孔（アームガイド部）
６１      板状部
６２      支持軸
６２１      ディスクガイド押さえ
Ｄ１      光ディスク
【図１】
2011113574.tif 000003
【図２】
2011113574.tif 000004
【図３】
2011113574.tif 000005
【図４】
2011113574.tif 000006
【図５】
2011113574.tif 000007
【図６】
2011113574.tif 000008
【図７】
2011113574.tif 000009
【図８】
2011113574.tif 000010
【図９】
2011113574.tif 000011
【図１０】
2011113574.tif 000012
【図１１】
2011113574.tif 000013
【図１２】
2011113574.tif 000014
【図１３】
2011113574.tif 000015
【図１４】
2011113574.tif 000016
【図１５】
2011113574.tif 000017
【図１６】
2011113574.tif 000018
【図１７】
2011113574.tif 000019
【図１８】
2011113574.tif 000020
【図１９】
2011113574.tif 000021
【図２０】
2011113574.tif 000022
【図２１】
2011113574.tif 000023